(57)【要約】      （修正有）【課題】キャビティ内に残った異物を除去することで、連続して成形品に打痕が発生することを防止して成形品の歩留を向上させることができるインモールド転写成形方法、及び成形に用いられる打痕除去フィルムを提供する。【解決手段】連続フィルム７の転写層を成形品に転写するインモールド転写成形方法であって、連続フィルムを固定金型及び可動金型の間に通過させる段階と、打痕除去フィルム12を、連続フィルムと、固定金型または可動金型に形成されたキャビティ３ｂ、４ｂとの間を、粘着層をキャビティ４ｂに対向させて通過させる段階と、キャビティ内に合成樹脂を射出して成形品を成形する段階と、転写層が転写された成形品を連続フィルムから剥離させる段階と、連続フィルムを所定距離だけ送るとともに、打痕除去フィルムをキャビティ４ｂから剥離させた後、所定距離だけ送る段階と、からなることを特徴とする。【選択図】    図６
2005047008.tif 000002
【特許請求の範囲】
【請求項１】
少なくともベースフィルム層と、その上に形成された転写層とを有する連続フィルムを固定金型と可動金型との間に通過させて、該連続フィルムの前記転写層を成形品に転写するインモールド転写成形方法であって、
ベースフィルムの表面に粘着層を積層した打痕除去フィルムを用い、
前記連続フィルムを前記固定金型及び前記可動金型の間に通過させる段階と、
前記打痕除去フィルムを、前記連続フィルムと、前記固定金型または前記可動金型に形成されたキャビティとの間を、前記粘着層を前記キャビティに対向させて通過させる段階と、
前記可動金型と前記固定金型を合わせた上で前記キャビティ内に合成樹脂を射出して成形品を成形する段階と、
前記可動金型と前記固定金型を開き、前記転写層が転写された成形品を前記連続フィルムから剥離させる段階と、
前記連続フィルムを所定距離だけ送るとともに、前記打痕除去フィルムを前記キャビティから剥離させた後、所定距離だけ送る段階と、
からなることを特徴とするインモールド転写成形方法。
【請求項２】
前記打痕除去フィルムを前記連続フィルムに平行して送ることを特徴とする請求項１に記載のインモールド転写成形方法。
【請求項３】
前記打痕除去フィルムを前記連続フィルムに交差して送ることを特徴とする請求項１に記載のインモールド転写成形方法。
【請求項４】
前記粘着層を感熱接着層により形成していることを特徴とする請求項１乃至３のいずれか１項に記載のインモールド転写成形方法。
【請求項５】
前記粘着層を感圧接着層により形成していることを特徴とする請求項１乃至３のいずれか１項に記載のインモールド転写成形方法。
【請求項６】
前記転写層は、接着層、印刷層であり、ベースフィルム層上に積層された剥離層の上に積層されたことを特徴とする請求項１乃至５のいずれか１項に記載のインモールド転写成形方法。
【請求項７】
前記転写層は、接着層、ハードコート層であり、ベースフィルム層上に積層された剥離層の上に積層されたことを特徴とする請求項１乃至５のいずれか１項に記載のインモールド転写成形方法。
【請求項８】
前記転写層は、接着層、印刷層、ハードコート層であり、ベースフィルム層上に積層された剥離層の上に積層されたことを特徴とする請求項１乃至５のいずれか１項に記載のインモールド転写成形方法。
【請求項９】
連続フィルムを固定金型と可動金型間を通過させるインモールド転写成形に用いられる打痕除去フィルムであって、
該打痕除去フィルムは、ベースフィルムの表面に粘着層を積層して構成し、
前記粘着層を前記固定金型または可動金型に形成されるキャビティに対向させて、前記連続フィルムと前記キャビティ間を通過させることを特徴とする打痕除去フィルム。
【請求項１０】
前記粘着層を感熱接着層により形成していることを特徴とする請求項７に記載の打痕除去フィルム。
【請求項１１】
前記粘着層を感圧接着層により形成していることを特徴とする請求項７に記載の打痕除去フィルム。
【発明の詳細な説明】
【０００１】
【発明の属する技術分野】
本発明は、連続フィルムを固定金型と可動金型間を通過させるインモールド転写成形方法、及び該インモールド転写成形方法に用いられる打痕除去フィルムであって、成形品の打痕を防止して成形品の歩留を向上させることができるインモールド転写成形方法及び打痕除去フィルムに関するものである。
【０００２】
【従来の技術】
従来、固定金型と可動金型により形成されるキャビティ内に連続フィルムを通過し、この連続フィルムの間に樹脂を流入させて成形品を成形するインモールド転写成形方法があった（例えば、特許文献１参照）。しかし、かかるインモールド転写成形方法では、キャビティ内に箔バリ、ゴミ等の異物が残り、成形品の表面に打痕を形成し、成形品の歩留が低下するという問題点があった。
【０００３】
かかる成形品の打痕、成形品の歩留の低下を防止するため、種々のインモールド転写成形方法が開発されている。例えば、特願２００２−２６３６１９では、連続フィルムの両端を押さえることにより、キャビティ内への異物進入を防止し、打恨による歩留まりを押さえている。
【０００４】
【特許文献１】
特許公開２００１−２６０１６８号公報
【０００５】
【発明が解決しようとする課題】
しかしながら、上記従来のようなインモールド転写成形方法では、連続フィルムの両端を押さえていない時に、キャビティ内への異物進入する可能性がある。そして、一度キャビティ内への異物が進入すると、連続して打痕が形成され、かかる異物を除去するために装置を停止しなければならないという問題点があった。
【０００６】
そこで本発明は、キャビティ内に残った異物を除去することで、連続して成形品に打痕が発生することを防止して成形品の歩留を向上させることができるインモールド転写成形方法、及び該インモールド転写成形方法に用いられる打痕除去フィルムを提供することを目的とする。
【０００７】
【課題を解決するための手段】
上記課題を解決するために本発明に係る代表的なインモールド転写成形方法は、少なくともベースフィルム層と、その上に形成された転写層とを有する連続フィルムを固定金型と可動金型との間に通過させて、該連続フィルムの前記転写層を成形品に転写するインモールド転写成形方法であって、ベースフィルムの表面に粘着層を積層した打痕除去フィルムを用い、前記連続フィルムを前記固定金型及び前記可動金型の間に通過させる段階と、前記打痕除去フィルムを、前記連続フィルムと、前記固定金型または前記可動金型に形成されたキャビティとの間を、前記粘着層を前記キャビティに対向させて通過させる段階と、前記可動金型と前記固定金型を合わせた上で前記キャビティ内に合成樹脂を射出して成形品を成形する段階と、前記可動金型と前記固定金型を開き、前記転写層が転写された成形品を前記連続フィルムから剥離させる段階と、前記連続フィルムを所定距離だけ送るとともに、前記打痕除去フィルムを前記キャビティから剥離させた後、所定距離だけ送る段階と、からなることを特徴とする。
【０００８】
また、上記課題を解決するために本発明に係る代表的な打痕除去フィルムは、連続フィルムを固定金型と可動金型間を通過させるインモールド転写成形に用いられる打痕除去フィルムであって、該打痕除去フィルムは、ベースフィルムの表面に粘着層を積層して構成し、前記粘着層を前記固定金型または可動金型に形成されるキャビティに対向させて、前記連続フィルムと前記キャビティ間を通過させることを特徴とする。
【０００９】
【発明の実施の形態】
本発明に係るインモールド転写成形方法及び打痕除去フィルムの実施形態について、図を用いて説明する。
【００１０】
図１に、本実施形態により製造される加飾付き樹脂成形品の例を示す。この加飾付き樹脂成形品Ｐは携帯電話等の電子機器表示窓のパネルとして用いられる。図１に示す加飾付き樹脂成形品Ｐは透明なアクリルの板体１ａであって周囲に枠１ｂを印刷し、中央部に液晶画面を表示するための透明な表示窓１ｃを残している。
【００１１】
以下、本実施形態に係る加飾付き樹脂成形品Ｐの製造方法について説明する。本実施形態は、連続フィルムを送り出す形式のインモールド転写成形方法、及びこのインモールド転写成形方法に用いられる打痕除去フィルムの例である。
【００１２】
図２乃至図７に示すように、射出成形金型は、固定金型３、可動金型４からなり、固定金型３と可動金型４との間の可動金型４側に連続フィルム７及び打痕除去フィルム１２を連続して通過させる。
【００１３】
固定金型３には、透明樹脂を注入するスプルー形成部３ａと、これに連結するキャビティ３ｂが形成されている。また、可動金型４には、キャビティ４ｂが形成されている。スプルー形成部３ａは、キャビティ３ｂの中央に直接連結しており、キャビティ３ｂ、４ｂは、連続フィルム７、打痕除去フィルム１２の通過領域内に形成されている。
【００１４】
ここで、図２、図３に示すように、可動金型４には、第１の巻き取り装置５と第２の巻き取り装置６とが取り付けられている。それぞれの巻き取り装置５、６は、送り出しロール５ａ、６ａと、巻き取りロール５ｂを有しており、両者間に連続フィルム７、打痕除去フィルム１２を巻き掛けている。
【００１５】
連続フィルム７と打痕除去フィルム１２は、それぞれ送り出しロール５ａ、６ａに巻き付けられて保持され、先端を固定金型３と可動金型４との間を通過させて、巻き取りロール５ｂに巻き付けられることで準備を完了する。
【００１６】
ここで図４（ａ）に示すように、連続フィルム７は、ＰＥＴ製のベースフィルム８上に順に、接着性を有しない材質からなる剥離層９、転写層を形成する印刷層１０と接着層１１を積層している。また図４（ｂ）に示すように、打痕除去フィルム１２は、ＰＥＴ製のベースフィルム１３の表面に粘着層１４を積層している。粘着層１４は、所定の温度になると接着する感熱接着層又は、所定の圧力で接着する感圧接着層により形成されている。尚、図５（ａ）に示すように、連続フィルム７の転写層は、印刷層１０に変えて表面の硬度を向上させるためのハードコート層としてＵＶハードクリア層１５を積層したものでもよい。また、図５（ｂ）に示すように、連続フィルム７の転写層は、剥離層９と印刷層１０の間にＵＶハードクリア層１５を積層したものでてもよい。
【００１７】
印刷層１０には印刷が施された部分と施されない部分が形成され、この印刷が施されない部分から裏面に、透明アクリル樹脂層がのぞくことで、透明な表示窓（図１参照）が形成されている。また、印刷層１０は独立した印刷パターンを所定間隔で複数形成している。
【００１８】
連続フィルム７は、可動金型側にベースフィルム８がキャビティ４ｂに対面するように配置される。打痕除去フィルム１２は、連続フィルム７と可動金型４との間を、粘着層１４をキャビティ４ｂに対向させて通過するように配置される。連続フィルム７、打痕除去フィルム１２は、幅が広く、キャビティ３ｂ、４ｂの全体を覆うことができる。
【００１９】
そして、巻き取り装置５、６を作動させて、連続フィルム７と打痕除去フィルム１２が平行するように固定金型３と可動金型４の間に間欠送りされる。この間欠送り作業は、連続フィルム７の印刷パターンが、固定金型３、可動金型４のキャビティ３ｂ、４ｂと常に一致するように制御される。なお、打痕除去フィルム１２については、連続フィルム７のような高精度の間欠送りでなくともよい。
【００２０】
次に、樹脂の射出工程について説明する。図２、図３に示すように、巻き取り装置５を作動させて、連続フィルム７、打痕除去フィルム１２を固定金型３と可動金型４の間に間欠送りする。そして、連続フィルム７の印刷パターンを連続フィルム７の移動方向下流側のキャビティ３ｂ、４ｂの位置に停止させ、その後、図６（ａ）に示すように、固定金型３と可動金型４とを合わせ型閉めする。
【００２１】
そして、図６（ｂ）に示すように、固定金型３と可動金型４とを合わせた上でスプルー形成部３ａに透明樹脂を射出する。射出された透明樹脂は、連続フィルム７、打痕除去フィルム１２を可動金型４側に付勢しながらキャビティ３ｂ、４ｂに充填されて連続フィルム７に印刷された絵柄等が射出された樹脂表面に転写される。このとき、打痕除去フィルム１２の粘着層１４がキャビティ４ｂに貼着し、キャビティ内に残った箔バリ、ゴミ等の異物が粘着層１４に付着する。
【００２２】
図６（ｃ）に示すように、樹脂が硬化した後、固定金型３と可動金型４を開く。そして、固定型側に残した樹脂が硬化した成形品２１をバキューム式の取出機（不図示）により吸引して取り出す。この際、硬化した樹脂は、連続フィルム７の接着層１１に接着しており、成形品２１の取り出しとともに連続フィルム７は可動金型４から離れる。一方、打痕除去フィルム１２は粘着層１４がキャビティ４ｂに貼着したまま、可動金型４に貼着している。
【００２３】
そして、図６（ｄ）に示すように、連続フィルム７の剥離層９にて、成形品２１と連続フィルム７を分離させる。その後、成形品２１からスプルー形成部３ａに形成されたスプルーを切断除去し樹脂成形品Ｐが形成される。
【００２４】
樹脂成形品Ｐの形成後、次の樹脂成形品Ｐの形成に備え、巻き取り装置６を作動させて打痕除去フィルム１２をキャビティ４ｂから剥離させる。このとき、キャビティ４ｂ内に残った箔バリ、ゴミ等の異物が粘着層１４に付着したまま打痕除去フィルム１２が剥離し、キャビティ４ｂ内から異物が除去される。
【００２５】
尚、打痕除去フィルム１２の剥離は、独立した工程として設けなくてもよく、打痕除去フィルム１２の間欠送りにより打痕除去フィルム１２を剥離させることとしてもよい。また、打痕除去フィルム１２は、樹脂成形品Ｐを成形するたびに間欠送りせずに、樹脂成形品Ｐを所定数成形するごとに間欠送りすることとしてもよい。
【００２６】
また、打痕除去フィルム１２が送り出しロール６ａに巻き付けられて保持されている構成として説明したが、連続フィルム７と打痕除去フィルム１２を二重にして送り出しロール５ａ、巻き取りロール５ｂに巻きつけてもよい。
【００２７】
また、本実施形態では、連続フィルム７、打痕除去フィルム１２を平行して送ることとして説明したが、図７に示すように、打痕除去フィルム１２を巻き取る巻き取りロール６ｂを設け、連続フィルム７、打痕除去フィルム１２を交差して送ることとしてもよい。
【００２８】
また、本実施形態では、連続フィルム７、打痕除去フィルム１２は、可動金型４側を通過することとしたが、固定金型３側を通過することとしてもよいし、固定金型３、可動金型４の両側を通過させてもよい。また、打痕除去フィルム１２は、固定金型と可動金型の間に２つの連続フィルムを通過させる両面インモールド転写成形方法に用いることもできる。
【００２９】
このように、打痕除去フィルム１２を可動金型４に貼着したまま、成形品２１の取り出しや、スプルーの切断を行うことにより、カットゴミ等の異物が金型のキャビティ３ｂ、４ｂ内に進入することを防止することができる。
【００３０】
また、キャビティ４ｂ内への異物が進入した場合でも、打痕除去フィルム１２の粘着層１４にキャビティ４ｂ内に残った異物を付着させて除去することにより、連続して樹脂成形品Ｐに打痕が発生することを防止することができ、樹脂成形品Ｐの歩留を飛躍的に向上させることができる。
【００３１】
【発明の効果】
以上説明したように、打痕除去フィルムを用いることにより、キャビティ内への異物の進入を防止できるとともに、キャビティ内に残った異物を除去することにより連続して成形品に打痕が発生すること防止することができ、成形品の歩留を飛躍的に向上させることができる。
【図面の簡単な説明】
【図１】本実施形態の樹脂成形品の斜視図である。
【図２】固定金型と可動金型の間に連続フィルム、打痕除去フィルムを連続して通過させる段階の説明図である。
【図３】可動金型側に連続フィルム、打痕除去フィルムを連続して通過させた状態の平面図である。
【図４】連続フィルム、打痕除去フィルムの断面図である。
【図５】他の連続フィルムの断面図である。
【図６】樹脂成形品の製造工程の説明図である。
【図７】可動金型側に連続フィルム、打痕除去フィルムを交差して通過させた状態の平面図である。
【符号の説明】
Ｐ        …樹脂成形品
１ａ    …板体
１ｂ    …枠
１ｃ    …表示窓
３        …固定金型
３ａ    …スプルー形成部
３ｂ    …キャビティ
４        …可動金型
４ｂ    …キャビティ
５、６        …巻き取り装置
５ａ、６ａ    …送り出しロール
５ｂ、６ｂ    …巻き取りロール
７        …連続フィルム
８、１３        …ベースフィルム
９        …剥離層
１０        …印刷層
１１        …接着層
１２        …打痕除去フィルム
１４        …粘着層
１５        …ＵＶハードクリア層（ハードコート層）
２１        …成形品
【図１】
2005047008.tif 000003
【図２】
2005047008.tif 000004
【図３】
2005047008.tif 000005
【図４】
2005047008.tif 000006
【図５】
2005047008.tif 000007
【図６】
2005047008.tif 000008
【図７】
2005047008.tif 000009